(57)【要約】【課題】一のチャンネルメニューを利用してテレビ放送の視聴とインターネットアクセスが可能になり、また、サーバ装置からの遠隔制御によってチャンネル割当を実行する技術が開示されているにも関わらず、テレビ放送番組の受信履歴とインターネットアクセス履歴の双方を考慮してチャンネルメニューに対するコンテンツ割当を制御する技術がない、という課題がある。【解決手段】以上の課題解決のため、本願発明は、チャンネルサーバ装置にてコンテンツ視聴装置でのテレビ番組の視聴履歴及びインターネットのアクセス履歴を収集、分析しその結果、例えばニュース番組を多く視聴していればＷｅｂのニュースサイトを、またＷｅｂのショッピングサイトを多く閲覧していれば通販番組の専門放送局αをチャンネルメニューに組み込むようチャンネルサーバ装置からコンテンツ視聴装置を制御することを特徴とするチャンネル制御システムを提供する。【選択図】図２
2012164670.tif 000002
【特許請求の範囲】
【請求項１】
テレビ放送コンテンツとインターネットコンテンツとをともに視聴可能なコンテンツ視聴装置と、チャンネルサーバ装置と、からなるチャンネル制御システムであって、
コンテンツ視聴装置は、
テレビ放送受信周波数又はＵＲＬが割当てられた選択グラフィックの複数から構成されるチャンネルメニューを、チャンネルサーバ装置から受信するチャンネルメニュー生成情報にしたがって生成するチャンネルメニュー生成部と、
生成したチャンネルメニューを利用してコンテンツの選択を受付ける選択受付部と、
前記選択による各コンテンツへのアクセスログを取得するアクセスログ取得部と、
取得したアクセスログをチャンネルサーバ装置へ送信するアクセスログ送信部と、
送信したアクセスログに応じてチャンネルサーバ装置から返信される前記チャンネルメニュー生成情報を受信するチャンネルメニュー生成情報受信部と、を有し、
チャンネルサーバ装置は、
前記送信されるアクセスログを受信するアクセスログ受信部と、
受信したアクセスログのうちテレビ放送コンテンツについてのアクセスログに基づいてインターネットコンテンツを視聴するためのチャンネルメニュー生成情報を算出し、
受信したアクセスログのうちインターネットコンテンツについてのアクセスログに基づいてテレビ放送コンテンツを視聴するためのチャンネルメニュー生成情報を算出する、
チャンネルメニュー生成情報算出部と、
算出したチャンネルメニュー生成情報をコンテンツ視聴装置に対して送信するチャンネルメニュー生成情報送信部と、を有するチャンネル制御システム。
【請求項２】
コンテンツ視聴装置は、
チャンネルメニュー生成部が生成したチャンネルメニューログを保持するチャンネルメニューログ保持部を有し、
チャンネルメニュー生成部は、チャンネルメニューログ保持部に保持されているチャンネルメニューログから選択したチャンネルメニューを該当するチャンネルメニュー生成情報を利用して生成する過去ログ依存生成手段を有する請求項１に記載のチャンネル制御システム。
【請求項３】
テレビ放送コンテンツとインターネットコンテンツとをともに視聴可能なコンテンツ視聴装置と、チャンネルサーバ装置と、からなるチャンネル制御システムの動作方法であって、
コンテンツ視聴装置において、
テレビ放送受信周波数又はＵＲＬが割当てられた選択グラフィックの複数から構成されるチャンネルメニューを、チャンネルサーバ装置から受信するチャンネルメニュー生成情報にしたがって生成するチャンネルメニュー生成ステップと、
生成したチャンネルメニューを利用してコンテンツの選択を受付ける選択受付ステップと、
前記選択による各コンテンツへのアクセスログを取得するアクセスログ取得ステップと、
取得したアクセスログをチャンネルサーバ装置へ送信するアクセスログ送信ステップと、
送信したアクセスログに応じてチャンネルサーバ装置から返信される前記チャンネルメニュー生成情報を受信するチャンネルメニュー生成情報受信ステップと、を計算機に実行させ、
チャンネルサーバ装置において、
前記送信されるアクセスログを受信するアクセスログ受信ステップと、
受信したアクセスログのうちテレビ放送コンテンツについてのアクセスログに基づいてインターネットコンテンツを視聴するためのチャンネルメニュー生成情報を算出し、
受信したアクセスログのうちインターネットコンテンツについてのアクセスログに基づいてテレビ放送コンテンツを視聴するためのチャンネルメニュー生成情報を算出する、
チャンネルメニュー生成情報算出ステップと、
算出したチャンネルメニュー生成情報をコンテンツ視聴装置に対して送信するチャンネルメニュー生成情報送信ステップと、を計算機に実行させるチャンネル制御システムの動作方法。
【請求項４】
テレビ放送コンテンツとインターネットコンテンツとをともに視聴可能なコンテンツ視聴装置と、チャンネルサーバ装置と、からなるチャンネル制御システムを動作させるプログラムであって、
コンテンツ視聴装置において、
テレビ放送受信周波数又はＵＲＬが割当てられた選択グラフィックの複数から構成されるチャンネルメニューを、チャンネルサーバ装置から受信するチャンネルメニュー生成情報にしたがって生成するチャンネルメニュー生成ステップと、
生成したチャンネルメニューを利用してコンテンツの選択を受付ける選択受付ステップと、
前記選択による各コンテンツへのアクセスログを取得するアクセスログ取得ステップと、
取得したアクセスログをチャンネルサーバ装置へ送信するアクセスログ送信ステップと、
送信したアクセスログに応じてチャンネルサーバ装置から返信される前記チャンネルメニュー生成情報を受信するチャンネルメニュー生成情報受信ステップと、を計算機に実行させ、
チャンネルサーバ装置において、
前記送信されるアクセスログを受信するアクセスログ受信ステップと、
受信したアクセスログのうちテレビ放送コンテンツについてのアクセスログに基づいてインターネットコンテンツを視聴するためのチャンネルメニュー生成情報を算出し、
受信したアクセスログのうちインターネットコンテンツについてのアクセスログに基づいてテレビ放送コンテンツを視聴するためのチャンネルメニュー生成情報を算出する、
チャンネルメニュー生成情報算出ステップと、
算出したチャンネルメニュー生成情報をコンテンツ視聴装置に対して送信するチャンネルメニュー生成情報送信ステップと、を計算機に実行させるようチャンネル制御システムを動作させるプログラム。
【発明の詳細な説明】
【技術分野】
【０００１】
本発明は、コンテンツ視聴装置のチャンネル割当を制御するための技術に関する。
【背景技術】
【０００２】
従来、テレビ受像機にインターネットの接続機能を付加する、あるいはＰＣ（パーソナル・コンピュータ）にテレビ放送の受信機能を付加することなどにより、インターネット接続機能とテレビ放送受信機能とを備えるコンテンツ視聴装置が広く提供されている。またそのようなコンテンツ視聴装置に関して、例えば特許文献１には、テレビ放送の受信周波数やインターネットのアクセス先を示すＩＰアドレスやＵＲＬなどをチャンネル番号に割り当ててリスト化（チャンネルメニュー）表示し、両機能を切り替えることなくテレビ放送の受信とインターネットアクセスを可能にする技術が開示されている。【０００３】
また、テレビ放送の受信周波数をチャンネル番号に割り当てる作業に関しては、例えば地域別に受信周波数が異なっているため購入者が個別に設定する必要がある。そこで、特許文献２には、販売店などにおいて入力されたテレビ装置（電子装置）のＩＤと設置地域のＩＤとがサーバ装置に送信されると、その設置地域に応じたチャンネル割当の設定情報がテレビ装置に送信され、その設定情報に基づいて、テレビ装置にて自動的にチャンネル割当を実行する技術が開示されている。
【先行技術文献】
【特許文献】
【０００４】
【特許文献１】特開２００９−１００００６号公報
【特許文献２】特開２００７−２７２６９７号公報
【発明の概要】
【発明が解決しようとする課題】
【０００５】
しかし、上記のように一のチャンネルメニューを利用してテレビ放送の視聴とインターネットアクセスが可能になり、また、サーバ装置からの遠隔制御によってチャンネル割当を実行する技術が開示されているにも関わらず、テレビ放送番組の受信履歴とインターネットアクセス履歴の双方を考慮してチャンネルメニューに対するコンテンツ割当を制御する技術がない、という課題がある。
【課題を解決するための手段】
【０００６】
以上の課題を解決するために、本願発明は、チャンネルサーバ装置にてコンテンツ視聴装置でのテレビ番組の視聴履歴及びインターネットのアクセス履歴を収集、分析する。そしてその分析の結果、例えばニュース番組を多く視聴していると分かればＷｅｂのニュースサイトをチャンネルメニューに組み込み、またＷｅｂのショッピングサイトを多く閲覧していると分かれば通販番組の専門放送局αをチャンネルメニューに組み込むようチャンネルサーバ装置からコンテンツ視聴装置を制御することを特徴とするチャンネル制御システムを提供する。【０００７】
具体的には、テレビ放送コンテンツとインターネットコンテンツとをともに視聴可能なコンテンツ視聴装置と、チャンネルサーバ装置と、からなるチャンネル制御システムであって、コンテンツ視聴装置は、テレビ放送受信周波数又はＵＲＬが割当てられた選択グラフィックの複数から構成されるチャンネルメニューを、チャンネルサーバ装置から受信するチャンネルメニュー生成情報にしたがって生成するチャンネルメニュー生成部と、生成したチャンネルメニューを利用してコンテンツの選択を受付ける選択受付部と、前記選択による各コンテンツへのアクセスログを取得するアクセスログ取得部と、取得したアクセスログをチャンネルサーバ装置へ送信するアクセスログ送信部と、送信したアクセスログに応じてチャンネルサーバ装置から返信される前記チャンネルメニュー生成情報を受信するチャンネルメニュー生成情報受信部と、を有する。【０００８】
また、チャンネルサーバ装置は、前記送信されるアクセスログを受信するアクセスログ受信部と、受信したアクセスログのうちテレビ放送コンテンツについてのアクセスログに基づいてインターネットコンテンツを視聴するためのチャンネルメニュー生成情報を算出し、受信したアクセスログのうちインターネットコンテンツについてのアクセスログに基づいてテレビ放送コンテンツを視聴するためのチャンネルメニュー生成情報を算出する、チャンネルメニュー生成情報算出部と、算出したチャンネルメニュー生成情報をコンテンツ視聴装置に対して送信するチャンネルメニュー生成情報送信部と、を有することを特徴とする。【０００９】
また、上記構成を備え、さらにコンテンツ視聴装置が、チャンネルメニュー生成部が生成したチャンネルメニューログを保持するチャンネルメニューログ保持部を有するとともに、そのチャンネルメニュー生成部が、チャンネルメニューログ保持部に保持されているチャンネルメニューログから選択したチャンネルメニューを該当するチャンネルメニュー生成情報を利用して生成する過去ログ依存生成手段を有することを特徴とするチャンネル制御システムも提供する。
【発明の効果】
【００１０】
以上のような構成をとる本発明によって、一のチャンネルメニューを利用してテレビ放送の視聴とインターネットアクセスの双方が可能なコンテンツ視聴装置において、そのチャンネルメニューに割当てるコンテンツを選択するにあたり、テレビ放送の視聴履歴に基づいてインターネットコンテンツを選択し、インターネットのアクセス履歴に基づいてテレビ放送コンテンツを選択することができる。
【図面の簡単な説明】
【００１１】
【図１】実施例１のチャンネル制御システムにおけるコンテンツ視聴装置のチャンネルメニューの割当制御の一例を説明するための概念図
【図２】実施例１のチャンネル制御システムにおける機能ブロックの一例を表す図
【図３】実施例１のチャンネル制御システムにおいて生成されたチャンネルメニューの一例を表す図である
【図４】実施例１のチャンネル制御システムにおけるアクセスログの取得の一例を表す概念図
【図５】実施例１のチャンネル制御システムにおいて選択された受信周波数やＵＲＬを含み算出されたチャンネルメニュー生成情報の一例を表す図
【図６】実施例１のチャンネル制御システムのコンテンツ視聴装置におけるハードウェア構成の一例を表す図
【図７】実施例１のチャンネル制御システムのチャンネルサーバ装置におけるハードウェア構成の一例を表す図
【図８】実施例１のチャンネル制御システムにおける処理の流れの一例を表すフローチャート
【図９】実施例２のチャンネル制御システムにおける機能ブロックの一例を表す図
【図１０】実施例２のチャンネル制御システムにおける処理の流れの一例を表すフローチャート
【発明を実施するための形態】
【００１２】
以下に、図を用いて本発明の実施の形態を説明する。なお、本発明はこれら実施の形態に何ら限定されるものではなく、その要旨を逸脱しない範囲において、種々なる態様で実施しうる。
【００１３】
なお、実施例１は、主に請求項１，３，４について説明する。実施例２は、主に請求項２について説明する。
【００１４】
≪実施例１≫
＜概要＞
【００１５】
図１は、本実施例のチャンネル制御システムにおけるコンテンツ視聴装置のチャンネルメニューの割当制御の一例を説明するための概念図である。この図にあるように、チャンネルサーバ装置は、コンテンツ視聴装置１や２などにおけるテレビ放送の受信履歴と、インターネットのアクセス履歴をアクセスログとして収集する（なお、以下では複数のコンテンツ視聴装置の履歴をまとめて分析しチャンネルメニューの割当制御を行う形態について説明するが、例えば詳細は後述するように、装置ＩＤなどを利用して個別に履歴を収集し個別に割当制御を行っても良い）。
【００１６】
そして、チャンネルサーバ装置ではこの収集した履歴を分析し、例えばテレビ番組の視聴履歴からニュース番組の視聴率が高いとの分析結果を得ると、チャンネルメニューに割当てるコンテンツとしてインターネットコンテンツの「ニュースページＡ」のＵＲＬを選択する。また、さらにインターネットのアクセス履歴からショッピングサイトのアクセス率が高いとの分析結果も得られると、チャンネルメニューの別のチャンネルに割当てるコンテンツとして「通販番組」を多く放送する通販専門放送局αの受信周波数を選択する。そして、これらの選択に基づいてチャンネルメニューを生成するための情報を算出し、各コンテンツ視聴装置に送信する。
【００１７】
するとコンテンツ視聴装置では、その情報を利用して１チャンネルに「ニュースページＡのＵＲＬ」を割当て、２チャンネルに「通販専門放送局αの受信周波数」を割当てたチャンネルメニューを生成しディスプレイに表示する、という具合である。
【００１８】
＜機能的構成＞
【００１９】
図２は、本実施例のチャンネル制御システムにおける機能ブロックの一例を表す図である。この図にあるように、本実施例のチャンネル制御システムは、「コンテンツ視聴装置」（０２００）と、「チャンネルサーバ装置」（０２１０）と、からなる。
【００２０】
なお、以下に記載する本システムを構成する各装置の機能ブロックは、ハードウェア及びソフトウェアの組み合わせとして実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは各装置の機能ブロックは専用ハードウェアによって実現されてもよい。
【００２１】
また、この発明はシステムとして実現できるのみでなく、方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然にこの発明の技術的な範囲に含まれる（本明細書の全体を通じて同様である）。
【００２２】
まず本実施例のコンテンツ視聴装置から説明する。このコンテンツ視聴装置はテレビ放送コンテンツとインターネットコンテンツとをともに視聴可能に構成され、そして図２にあるように、「チャンネルメニュー生成部」（０２０１）と、「選択受付部」（０２０２）と、「アクセスログ取得部」（０２０３）と、「アクセスログ送信部」（０２０４）と、「チャンネルメニュー生成情報受信部」（０２０５）と、を有する。
【００２３】
「チャンネルメニュー生成部」（０２０１）は、テレビ放送受信周波数又はＵＲＬが割当てられた選択グラフィックの複数から構成されるチャンネルメニューを、チャンネルサーバ装置から受信するチャンネルメニュー生成情報にしたがって生成する機能を有し、例えばＣＰＵや主メモリ、チャンネルメニュー生成プログラムなどによって実現できる。
【００２４】
「選択グラフィック」とは、チャンネルメニューの選択項目の単位として表示されるグラフィックをいい、例えばテレビ放送の受信やインターネットソースの取得に際してコンテンツ視聴装置に対してチャンネル指定するための番号で区別されるチャンネル番号グラフィックや、選択パネル、アイコンのグラフィックなどが挙げられる。そして、選択グラフィックがチャンネル番号であれば、リモコンなどの数字選択によって所定のグラフィックが選択され、また選択グラフィックが選択パネルやアイコンであれば、タッチ指定操作やカーソル指定操作などによって所定のグラフィックが選択される、という具合である。
【００２５】
図３は、この生成されたチャンネルメニューの一例を表す図である。この図３（ａ）にあるように、チャンネルの番号と対応するコンテンツの名称などを４×２のマトリクス配置など示すチャンネルメニューや、図３（ｂ）にあるようにチャンネル番号を縦または横並びの一列のリストにするチャンネルメニューなどが挙げられる。
【００２６】
また、チャンネルメニュー生成情報にしたがってチャンネルメニューを生成する処理は以下のようなものが挙げられる。例えばチャンネルメニュー生成情報にて、「１チャンネル：ニュースページＡのＵＲＬ」、「チャンネル２：通販専門放送局αの受信周波数」といった具合に選択グラフィックの識別情報（例えばチャンネル番号）と割当てられるべきＵＲＬや法送受信周波数が示されている場合には、それにしたがって割当を行いチャンネルメニューを生成すると良い。
【００２７】
また、チャンネルメニュー生成情報ではテレビ放送受信周波数やＵＲＬが指定されているのみで、いずれの選択グラフィックに割当てるかが指定されていない場合には、利用可能な選択グラフィックに、所定のルールなどに従って受信周波数とＵＲＬとを割り当てると良い。
【００２８】
具体的には、例えばチャンネルメニュー生成情報で示される全ての受信周波数とＵＲＬとを、選択グラフィックの番号「１」から順次割当てる処理が挙げられる。また、空いていない選択グラフィックの番号であっても更新割当を行っても良い。あるいは、チャンネルの番号の数の上限が予め決められている場合など、受信周波数とＵＲＬを規定の上限個数抽出し、抽出した受信周波数とＵＲＬをチャンネル番号にランダムに割当てる処理なども挙げられる。
【００２９】
なお「ＵＲＬ」とは、Ｗｅｂソースのインターネット上の位置を示すための情報であって、例えばＩＰアドレスやＵＲＩ（ＵＲＬやＵＲＮ）なども挙げられる。
【００３０】
「選択受付部」（０２０２）は、生成したチャンネルメニューを利用してコンテンツの選択を受付ける機能を有し、例えばＣＰＵや主メモリ、リモコンや装置本体の操作パネル（操作キー）、あるいはタッチパネルとタッチ操作用ＧＵＩなどの各種操作入力機構、選択受付プログラムなどによって実現することができる。
【００３１】
具体的には、例えば上記４×４のマトリクス配置のチャンネルメニューを単独で一画面に表示し、操作入力機構のカーソル選択操作などに応じて受付ける構成が挙げられる。あるいは一列にリスト化されたチャンネルメニューをＯＳＤ処理などによって映像とともに表示しその選択を受付ける形態や、映像とディスプレイの縦横比の違いで映像データに挿入される上下又は左右の黒枠領域にチャンネルメニューを埋め込み表示しその選択を受付ける形態などが挙げられる。
【００３２】
「アクセスログ取得部」（０２０３）は、前記選択による各コンテンツへのアクセスログを取得する機能を有し、例えばＣＰＵや主メモリ、アクセスログ取得プログラムなどによって実現することができる。
【００３３】
図４は、ここでのアクセスログの取得の一例を表す概念図である。この図４（ａ）にあるように、例えばアクセスログのレコードとして「アクセス時間」と「受信周波数」や「ＵＲＬ」が関連付けて保存されている。そして、この受信周波数やＵＲＬを解析し、そのアクセス先のコンテンツがインターネットコンテンツなのかテレビ放送コンテンツなのかを示すコンテンツ取得先の種別情報を取得することができる。具体的には、例えばアクセスログの最後の文字列がＭＨｚなど周波数の単位であればテレビ放送コンテンツへのアクセスログと判断し、最初の文字列がｈｔｔｐなどインターネットプロトコルで使用されるものであればインターネットコンテンツへのアクセスログと判断する、という具合である。
【００３４】
また、さらに受信周波数やＵＲＬを解析し、そのアクセス先のコンテンツの属性情報を取得することもできる。具体的には、例えばコンテンツがテレビ放送コンテンツであれば、電子番組表を参照し、その受信周波数とアクセス時間からアクセスしたテレビ番組を特定する。そして電子番組表の当該番組に関する情報、例えば番組のジャンルや出演者、製作者、製作年代などをコンテンツの属性情報として取得する、という具合である。あるいは受信した放送波に含まれるＢＭＬなどの情報から上記コンテンツの属性情報を取得しても良い。
【００３５】
またＵＲＬであれば、そのＵＲＬで示される場所にあるコンテンツを取得し、例えばＨＴＭＬ文書であればタグ（Ｍｅｔａタグなど）を利用して、そのコンテンツの属性情報を取得しても良い。
【００３６】
そして図４（ｂ）にあるように、上記取得されたコンテンツの取得先の識別情報と、そのコンテンツの番組ジャンルとアクセスしたコンテンツの属性情報（例えばニュース番組やショッピングについてのホームページなど）関連付けた情報をアクセスログとして取得する、という具合である。
【００３７】
なお、ここで取得されるアクセスログは、図４（ｂ）に示すような情報であっても良いし、あるいはコンテンツ視聴装置で取得される時点では図４（ａ）に示すような情報であって、それが後述するチャンネルサーバ装置で上記処理を行われることで図４（ｂ）に示すような情報に変換される構成であっても良い。
【００３８】
「アクセスログ送信部」（０２０４）は、取得したアクセスログをチャンネルサーバ装置へ送信する機能を有し、例えばＣＰＵや主メモリ、通信回路、そしてアクセスログ送信プログラムなどによって実現することができる。
【００３９】
「チャンネルメニュー生成情報受信部」（０２０５）は、送信したアクセスログに応じてチャンネルサーバ装置から返信される前記チャンネルメニュー生成情報を受信する機能を有し、例えばＣＰＵや主メモリ、通信回路、そしてチャンネルメニュー生成情報受信プログラムなどによって実現することができる。
【００４０】
そして、本実施例では、後述するチャンネルサーバ装置によって算出された、テレビ視聴のアクセスログに基づいてインターネットアクセスのチャンネルが生成され、インターネットのアクセスログに基づいてテレビ視聴のチャンネルが生成されるよう構成されたチャンネルメニュー生成情報を受信し、そのようなチャンネルメニューが生成されることを特徴とする。
【００４１】
続いて、図２に戻り「チャンネルサーバ装置」（０２１０）の機能ブロックの一例を説明する。この図にあるように、チャンネルサーバ装置は、「アクセスログ受信部」（０２１１）と、「チャンネルメニュー生成情報算出部」（０２１２）と、「チャンネルメニュー生成情報送信部」（０２１３）と、を有する。
【００４２】
「アクセスログ受信部」（０２１１）は、前記送信されるアクセスログを受信する機能を有し、例えばＣＰＵや主メモリ、通信回路、そしてアクセスログ受信プログラムなどによって実現することができる。
【００４３】
「チャンネルメニュー生成情報算出部」（０２１２）は、受信したアクセスログのうちテレビ放送コンテンツについてのアクセスログに基づいてインターネットコンテンツを視聴するためのチャンネルメニュー生成情報を算出し、受信したアクセスログのうちインターネットコンテンツについてのアクセスログに基づいてテレビ放送コンテンツを視聴するためのチャンネルメニュー生成情報を算出する機能を有し、例えばＣＰＵや主メモリ、チャンネルメニュー生成情報算出プログラムなどによって実現することができる。
【００４４】
具体的には、アクセスログにて図４（ｂ）に示すようなコンテンツの番組ジャンルとアクセスしたコンテンツの属性情報とを関連付けた情報を取得した場合、例えばテレビ番組の視聴履歴から、コンテンツの属性情報ごとにその視聴回数をカウントする。そして、ニュース番組の視聴回数が他に比べて多い分析結果を得ると、チャンネルメニューに割当てるコンテンツとしてインターネットコンテンツで、そのコンテンツ属性がニュースである「ニュースページＡ」のＵＲＬを選択する。
【００４５】
なお、その際には記憶装置に保持されているコンテンツリストなどを参照すると良い。このコンテンツリストには、コンテンツの取得先の識別情報と、コンテンツの属性情報と、その取得先の受信周波数またはＵＲＬを関連付けられている。そして、上記処理の際には、取得先がインターネットで属性が「ニュース」に分類されている「ニュースページＡ」のＵＲＬが取得される、という具合である。
【００４６】
つづいて、今度はインターネットのアクセス履歴から、コンテンツの属性情報ごとにそのアクセス回数をカウントする。そしてショッピングサイトのアクセス率が高いとの分析結果も得られると、チャンネルメニューの別のチャンネルに割当てるコンテンツとして「通販番組」を多く放送する通販専門放送局αの受信周波数を選択する、という具合である。
【００４７】
なお、アクセスログにて図４（ａ）にあるように「アクセス時間」や「受信周波数」および「ＵＲＬ」のみが示されている場合、このチャンネルサーバ装置での前述のような演算処理によって、図４（ｂ）にあるコンテンツの番組ジャンルとアクセスしたコンテンツの属性情報とを関連付けた情報を算出した上で、上記チャンネルメニュー生成情報を算出すると良い。
また、本実施例のチャンネルサーバ装置では、チャンネルメニュー生成情報の算出にあたり、テレビ放送の視聴履歴に基づいてインターネットコンテンツのＵＲＬを選択し、インターネットのアクセス履歴に基づいてテレビ放送コンテンツの受信周波数を選択することを特徴とするが、その構成を備えていれば、さらにテレビ放送の視聴履歴に基づいてテレビ放送コンテンツの受信周波数を選択し、インターネットのアクセス履歴に基づいてインターネットコンテンツのＵＲＬを選択したものをチャンネルメニュー生成情報に追加で含むよう構成しても良い。
さらに、上記本実施例の特徴的な構成を備えていれば、テレビ放送の視聴履歴とインターネットのアクセス履歴とを総合的に分析し（例えばコンテンツ属性が同じニュース番組とニュースサイトを同じものとしてカウントするなど）、受信周波数又は／及びＵＲＬを選択する構成であっても良い。
【００４８】
図５は、このように選択された受信周波数やＵＲＬを含み算出されたチャンネルメニュー生成情報の一例を表す図である。この図５（ａ）にあるように、例えばチャンネルメニュー生成情報として、チャンネルの番号で区別される選択グラフィックに割り当てるべきテレビ放送の受信周波数及びＵＲＬのリストを取得してもよい。その場合には、コンテンツ視聴装置にて利用可能なチャンネルの番号に、所定のルールなどに従って受信周波数とＵＲＬとを割り当てると良い。
【００４９】
具体的には、例えば前記のように選択された全ての受信周波数とＵＲＬとを、選択グラフィックの番号「１」から順次割当てる処理が挙げられる。また、空いていない選択グラフィックの番号であっても更新割当を行っても良い。あるいは、チャンネルの番号の数の上限が予め決められている場合など、受信周波数とＵＲＬを規定の上限個数抽出し、抽出した受信周波数とＵＲＬをチャンネル番号にランダムに割当てる処理なども挙げられる。
【００５０】
あるいは、図５（ｂ）にあるように、予めチャンネルの番号と受信周波数とＵＲＬとが対応付けられたチャンネルメニュー生成情報を取得しても良い。その場合は、その対応付けに応じた割当処理がコンテンツ視聴装置にて実行される。
【００５１】
「チャンネルメニュー生成情報送信部」（０２１３）は、算出したチャンネルメニュー生成情報をコンテンツ視聴装置に対して送信する機能を有し、、例えばＣＰＵや主メモリ、通信回路、そしてアクセスログ受信プログラムなどによって実現することができる。
【００５２】
このようにして、一のチャンネルメニューを利用してテレビ放送の視聴とインターネットアクセスの双方が可能なコンテンツ視聴装置において、そのチャンネルメニューに割当てるコンテンツを選択するにあたり、テレビ放送の視聴履歴に基づいてインターネットコンテンツを選択し、インターネットのアクセス履歴に基づいてテレビ放送コンテンツを選択することができる。
【００５３】
また、本実施例のコンテンツ視聴装置は、図示しない「装置ＩＤ保持部」や「装置ＩＤ送信部」を有していても良い。そして、この装置ＩＤを利用することで、チャンネルサーバ装置において、各コンテンツ視聴装置の履歴を個別に分析し、個別にチャンネルメニューの割当を制御することができる。
【００５４】
「装置ＩＤ保持部」は、自身を識別するための装置ＩＤを保持する機能を有し、例えばフラッシュメモリやＨＤＤ（ハードディスクドライブ）、その他の各種記憶媒体によって実現することができる。なお、「装置ＩＤ」は自身を識別可能な情報であればどのようなものであっても構わない。例えばコンテンツ視聴装置の製造者が、その製造管理のために付与する「機器ＩＤ」を転用しても良いし、本システムのために新たに付与管理される独自の「装置ＩＤ」であっても構わない。
【００５５】
「装置ＩＤ送信部」は、装置ＩＤ保持部に保持されている装置ＩＤをチャンネルサーバ装置に対して送信する機能を有し、例えばＣＰＵや主メモリ、通信回路、そして装置ＩＤ送信プログラムなどによって実現することができる。また、この装置ＩＤの送信は、後述するように、例えば初期化されているコンテンツ視聴装置に電源を投入した直後の「初期設定」の際に送信されるものであっても良いし、その初期設定のあとで送信されるものであっても良い。
【００５６】
そしてチャンネルサーバ装置では図示しない装置ＩＤ受信部にて装置ＩＤを受信し、チャンネルメニュー生成情報算出部で装置ＩＤに基づいてコンテンツ視聴装置別にチャンネルメニューを生成する。そしてチャンネルメニュー生成情報送信部で、その履歴の送信元であるそれぞれのコンテンツ視聴装置に対して算出したチャンネルメニュー生成情報を送信する、という具合である。
【００５７】
＜具体的なシステムの流れ＞
【００５８】
ここで、本実施例のチャンネル制御システムによるコンテンツ視聴装置のチャンネル制御について、より具体的な例を示しながら以下に説明する。まず、利用者が初期状態のコンテンツ視聴装置の電源を投入すると、例えば初期設定メニューが表示され、そこでアクセスログによるチャンネルメニューの割当制御を行うか否かの設定を行う。なお、その際に、当該コンテンツ視聴装置がチャンネルサーバ装置にアクセスするとともに装置ＩＤが入力（装置ＩＤは入力ではなく、自身の内部メモリに保持されている装置ＩＤを読み出す構成でも良い）され、チャンネルサーバ装置に対して送信されるても良い。
【００５９】
そして、行う旨の設定がなされた場合には、アクセスログ取得プログラムやアクセスログ送信プログラムが自動で読み込まれ実行される。具体的には、チャンネルメニューによるチャンネル選択をリモコン操作などで受け付けると、まずその受け付けたリモコン番号を取得する。つづいてＣＰＵなどの演算処理によってチャンネルメニューを参照し、そのリモコン番号に割り当てられている受信周波数またはＵＲＬを取得する。
【００６０】
つづいて、例えばＣＰＵはアクセスログの最後の文字列がＭＨｚなど周波数の単位であればテレビ放送コンテンツへのアクセスログと判断し、最初の文字列がｈｔｔｐなどインターネットプロトコルで使用されるものであればインターネットコンテンツへのアクセスログと判断する。
【００６１】
また、さらにＣＰＵの演算処理により、例えばコンテンツがテレビ放送コンテンツであれば、電子番組表を参照し、その受信周波数とアクセス時間からアクセスしたテレビ番組を特定する。そして電子番組表の当該番組に関する情報、例えば番組のジャンルや出演者、製作者、製作年代などをコンテンツの属性情報として取得する。あるいは受信した放送波に含まれるＢＭＬなどの情報から上記コンテンツの属性情報を取得しても良い。
【００６２】
またＵＲＬであれば、そのＵＲＬで示される場所にあるコンテンツを取得し、例えばＨＴＭＬ文書であればＭｅｔａタグなどを利用して、そのコンテンツの属性情報を取得する。
【００６３】
そしてこのように取得したコンテンツの取得先の識別情報と、そのコンテンツの番組ジャンルとアクセスしたコンテンツの属性情報（例えばニュース番組やショッピングについてのホームページなど）を関連付けた情報をフラッシュメモリなどに保存しておき、例えば１日おきなど所定周期でチャンネルサーバ装置に送信する（もちろん、取得のつど送信するなどでも良い）。
【００６４】
すると、チャンネルサーバ装置では、そのように送信されてきたアクセスログを受信する。
【００６５】
そして複数のコンテンツ視聴装置からのアクセスログを収集し、以下のような処理を実行する。すなわち、テレビ番組の視聴履歴から、コンテンツの属性情報ごとにその視聴回数をカウントする。そして、ニュース番組の視聴回数が他に比べて多い分析結果を得ると、前述のコンテンツリストなどを参照し、チャンネルメニューに割当てるコンテンツとしてインターネットコンテンツで、そのコンテンツ属性がニュースである「ニュースページＡ」のＵＲＬを選択する。
【００６６】
つづいて、今度はインターネットのアクセス履歴から、コンテンツの属性情報ごとにそのアクセス回数をカウントする。そしてショッピングサイトのアクセス率が高いとの分析結果も得られると、チャンネルメニューの別のチャンネルに割当てるコンテンツとして「通販番組」を多く放送する通販専門放送局αの受信周波数を選択する
【００６７】
なお、上記処理は複数のコンテンツ視聴装置からのアクセスログをまとめて処理（分析）する形態であるが、装置ＩＤなどでアクセスログをコンテンツ視聴装置別に処理する形態であっても良い。
【００６８】
そして、チャンネルサーバ装置はこのように算出したチャンネルメニュー生成情報をコンテンツ視聴装置に対して送信する。すると、そのチャンネルメニュー生成情報を受信したコンテンツ視聴装置では、その情報で示される受信周波数やＵＲＬを選択グラフィックに割当てたチャンネルメニューを生成する。具体的には、チャンネルメニュー生成情報にて、受信周波数及びＵＲＬと、それを割当てるべき選択グラフィックのＩＤが指定されている場合には、それにしたがって各選択グラフィックに指定されたテレビ放送受信周波数又はＵＲＬを割当て、それを縦や横一列、あるいはマトリックス状に並べたチャンネルメニューを生成する。
【００６９】
あるいは割当の指定がない場合には、例えば選択グラフィックの識別番号（チャンネル番号）が若い順に、ランダムにあるいは実施例２で後述する優先順位の高い受信周波数とＵＲＬを割当てる処理などを行い、チャンネルメニューを生成する。
【００７０】
そして、このように生成したチャンネルメニューをコンテンツ視聴装置のディスプレイに表示し、例えば選択グラフィックがチャンネル番号であれば、リモコンの数字ボタン指定などに応じて選択された選択グラフィックに割当てられたコンテンツを、ＵＲＬであればインターネットアクセスにより、受信周波数であればチューナの受信周波数制御によって取得する、という具合である。
【００７１】
＜ハードウェア構成＞
【００７２】
図６、図７は、上記機能的な各構成要件をハードウェアとして実現した際の、コンテンツ視聴装置とチャンネルサーバ装置における構成の一例を表す概略図である。まず図６を利用して、コンテンツ視聴装置でのアクセスログの取得、送信処理におけるそれぞれのハードウェア構成部の働きについて説明する。
【００７３】
この図にあるように、コンテンツ視聴装置は、チャンネルメニュー生成部とアクセスログ取得部であり、またその他の各種演算処理を実行するための「ＣＰＵ」（０６０１）と、「主メモリ」（０６０２）と、を備えている。またアクセスログの保存などを行う「フラッシュメモリ」（０６０３）や、アクセスログ送信部やチャンネルメニュー生成情報受信部である「通信回路」（０６０４）、選択受付部である「入力デバイス」（０６０５）、また「ディスプレイ」（０６０６）や「テレビチューナ」（０６０７）などを備えている。
【００７４】
ここで、コンテンツ視聴装置の例えば初期設定メニューなどによってアクセスログの取得、送信が許可されると、アクセスログ取得プログラムやアクセスログ送信プログラムが「主メモリ」に読み込まれる。その後、コンテンツ視聴装置の「ディスプレイ」にチャンネルメニュー（ＣＰＵのチャンネルメニュー生成プログラムの解釈により生成）が表示され、「入力デバイス」を介してチャンネル（選択グラフィック）の選択操作を受け付ける。
【００７５】
すると「ＣＰＵ」はアクセスログ取得プログラムを解釈し、それに従い、まずその受け付けたリモコン番号を取得する。つづいて「ＣＰＵ」の演算処理によってチャンネルメニューを参照し、そのリモコン番号に割り当てられている受信周波数またはＵＲＬを取得し「主メモリ」に格納する。つづいて、例えばＣＰＵはアクセスログの最後の文字列がＭＨｚなど周波数の単位であればテレビ放送コンテンツへのアクセスログと判断し、最初の文字列がｈｔｔｐなどインターネットプロトコルで使用されるものであればインターネットコンテンツへのアクセスログと判断する。
【００７６】
また、さらにＣＰＵの演算処理により、例えばコンテンツがテレビ放送コンテンツであれば、電子番組表を参照し、その受信周波数とアクセス時間からアクセスしたテレビ番組を特定する。そして電子番組表の当該番組に関する情報、例えば番組のジャンルや出演者、製作者、製作年代などをコンテンツの属性情報として取得する。あるいは受信した放送波に含まれるＢＭＬなどの情報から上記コンテンツの属性情報を取得しても良い。
【００７７】
またＵＲＬであれば、そのＵＲＬで示される場所にあるコンテンツを取得し、例えばＨＴＭＬ文書であればＭｅｔａタグなどを利用して、そのコンテンツの属性情報を取得する。
【００７８】
そしてこのように取得したコンテンツの取得先の識別情報と、そのコンテンツの番組ジャンルとアクセスしたコンテンツの属性情報（例えばニュース番組やショッピングについてのホームページなど）を関連付けた情報をアクセスログとして「フラッシュメモリ」に保存しておく。そして「ＣＰＵ」はアクセスログ送信プログラムを解釈し、例えば１日おきなど所定周期で「通信回路」を介してそのアクセスログをチャンネルサーバ装置に送信する。
【００７９】
つづいて、図７を参照し、チャンネルサーバ装置でのチャンネルメニュー生成情報の算出、送信処理におけるそれぞれのハードウェア構成部の働きについて説明する。
【００８０】
この図にあるように、チャンネルサーバ装置は、チャンネルメニュー生成情報算出部であり、またその他の各種演算処理を実行するための「ＣＰＵ」（０７１１）と、「主メモリ」（０７１２）と、を備えている。また受信したアクセスログを保存などする「ＨＤＤ」（０７１３）や、アクセスログ受信部とチャンネルメニュー生成情報送信部である「通信回路」（０７１４）などを備えている。
【００８１】
そしてチャンネルサーバ装置では、上記コンテンツ視聴装置から送信されてきたアクセスログを「通信回路」を介して受信し、「ＨＤＤ」に蓄積する。その後、所定のタイミングなどで「ＣＰＵ」はチャンネルメニュー生成情報算出プログラムを解釈し、それにしたがってアクセスログのコンテンツの取得先ＩＤを参照する。そしてテレビ番組の視聴履歴と判断されるレコードから、コンテンツの属性情報ごとにその視聴回数をカウントする。そして、例えばニュース番組の視聴回数が他に比べて多い分析結果を得ると、「ＨＤＤ」に保持されている前述のコンテンツリストを参照する。そしてコンテンツリスト内の取得先がインターネットで属性が「ニュース」に分類されている「ニュースページＡ」のＵＲＬがチャンネルメニューに割当てるコンテンツとして選択され、「主メモリ」のアドレス１に格納される。
【００８２】
つづいて、今度はインターネットのアクセス履歴から、コンテンツの属性情報ごとにそのアクセス回数をカウントする。そしてショッピングサイトのアクセス率が高いとの分析結果も得られると、同様にコンテンツリストを参照し、チャンネルメニューの別のチャンネルに割当てるコンテンツとして「通販番組」を多く放送する通販専門放送局αの受信周波数が選択され、「主メモリ」のアドレス２に格納される。そして、チャンネルサーバ装置はこのように「主メモリ」に格納した受信周波数やＵＲＬをチャンネルメニュー生成情報としてコンテンツ視聴装置に対して「通信回路」を介して送信する。
【００８３】
＜処理の流れ＞
【００８４】
図８は、本実施例のチャンネル制御システムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００８５】
この図にあるように、コンテンツ視聴装置において、テレビ放送受信周波数又はＵＲＬが割当てられた選択グラフィックの複数から構成されるチャンネルメニューを、チャンネルサーバ装置から受信するチャンネルメニュー生成情報にしたがって生成する（ステップＳ０８０１）。なお、チャンネルメニュー生成情報を一度も受信していなければ、初期状態のチャンネルメニューとして予め保持されているものなどを利用すると良い。そして生成したチャンネルメニューを利用してコンテンツの選択を受付け（ステップＳ０８０２）、その選択による各コンテンツへのアクセスログを取得する（ステップＳ０８０３）。そして取得したアクセスログをチャンネルサーバ装置へ送信し（ステップＳ０８０４）、送信したアクセスログに応じてチャンネルサーバ装置から返信される前記チャンネルメニュー生成情報を受信する（ステップＳ０８０５）。そしてステップＳ０８０１に戻り、その受信したチャンネルメニュー生成情報を利用してチャンネルメニューを生成する。
【００８６】
また、チャンネルサーバ装置において、コンテンツ視聴装置から送信されるアクセスログを受信する（ステップＳ０８１１）と、受信したアクセスログのうちテレビ放送コンテンツについてのアクセスログに基づいてインターネットコンテンツを視聴するためのチャンネルメニュー生成情報を算出し、受信したアクセスログのうちインターネットコンテンツについてのアクセスログに基づいてテレビ放送コンテンツを視聴するためのチャンネルメニュー生成情報を算出する（ステップＳ０８１２）。そして算出したチャンネルメニュー生成情報をコンテンツ視聴装置に対して送信する（ステップＳ０８１３）。
【００８７】
＜効果の簡単な説明＞
【００８８】
以上のような構成をとる本発明によって、一のチャンネルメニューを利用してテレビ放送の視聴とインターネットアクセスの双方が可能なコンテンツ視聴装置において、そのチャンネルメニューに割当てるコンテンツを選択するにあたり、テレビ放送の視聴履歴に基づいてインターネットコンテンツを選択し、インターネットのアクセス履歴に基づいてテレビ放送コンテンツを選択することができる。
【００８９】
したがって、従来なかった、テレビ視聴とインターネットアクセスを横断したチャンネルメニューの制御を行うことができる。
【００９０】
≪実施例２≫
＜概要＞
【００９１】
本実施例は、上記実施例を基本として、さらにチャンネルサーバ装置によって制御されたチャンネルメニューが気に入らなかった場合など、コンテンツ視聴装置のユーザ側で以前のチャンネルメニューに簡単な操作で復元することができる機能を有することを特徴とするチャンネル制御システムである。
【００９２】
＜機能的構成＞
【００９３】
図９は、本実施例のチャンネル制御システムにおける機能ブロックの一例を表す図である。この図にあるように、本実施例のチャンネル制御システムは、上記実施例１を基本として、「コンテンツ視聴装置」（０９００）と、「チャンネルサーバ装置」（０９１０）と、からなる。なおチャンネルサーバ装置の構成要件については実施例１と同じであるので、その図示および説明は省略する。
【００９４】
そして、コンテンツ視聴装置は、この図９にあるように、「チャンネルメニュー生成部」（０９０１）と、「選択受付部」（０９０２）と、「アクセスログ取得部」（０９０３）と、「アクセスログ送信部」（０９０４）と、「チャンネルメニュー生成情報受信部」（０９０５）と、を有する。
【００９５】
なお、これら構成要件については、上記実施例１で記載済みであるのでその説明は省略する。
【００９６】
そして、本実施例のコンテンツ視聴装置は、「チャンネルメニューログ保持部」（０９０６）を有するともに、チャンネルメニュー生成部がさらに「過去ログ依存生成手段」（０９０７）を有することを特徴とする。
【００９７】
「チャンネルメニューログ保持部」（０９０６）は、チャンネルメニュー生成部が生成したチャンネルメニューログを保持する機能を有し、例えばフラッシュメモリやＨＤＤなどの記録装置によって実現することができる。ここで保持されるチャンネルメニューログは、例えば選択グラフィックと受信周波数及びＵＲＬの割り当てを全て保持していても良い。その場合、このコンテンツ視聴装置単独でチャンネルメニューの復元を行うことができる。
【００９８】
あるいは、上記のような情報はチャンネルサーバ装置に保持されており、コンテンツ視聴装置では、そのチャンネルメニューのバージョンＩＤや生成日時など、それを識別する情報をチャンネルメニューログとして保持しておく構成としても良い。
【００９９】
その場合、これら識別情報をチャンネルサーバ装置に送信し、チャンネルメニューを復元するための選択グラフィックと受信周波数及びＵＲＬの割り当てを示す情報を取得する、という具合である。
【０１００】
「過去ログ依存生成手段」（０９０７）は、チャンネルメニューログ保持部に保持されているチャンネルメニューログから選択したチャンネルメニューを該当するチャンネルメニュー生成情報を利用して生成する機能を有し、例えばＣＰＵや主メモリ、過去ログ依存生成プログラムなどで実現することができる。
【０１０１】
具体的には、例えばユーザが設定画面などからチャンネルメニュー復元を選択すると、ディスプレイ上に例えばチャンネルメニューのバージョンＩＤや作成（受信）日時などのリストが表示される。そしてそのリストから所望のバージョンなどの選択を受け付けると、内部に保存されている選択グラフィックと受信周波数及びＵＲＬの割り当てを示す情報を取得する。あるいは、その選択されたＩＤをチャンネルサーバ装置に送信し、変身されてきた選択グラフィックと受信周波数及びＵＲＬの割り当てを示す情報を取得し、それに基づいてチャンネルメニューを生成（復元）する、という具合である。
【０１０２】
＜処理の流れ＞
【０１０３】
図１０は、本実施例のチャンネル制御システムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【０１０４】
なお、上記実施例で説明済みの処理ステップについては説明を省略する。そしてコンテンツ視聴装置では、コンテンツメニュー生成情報を受信し、チャンネルメニューを生成すると、そのチャンネルメニューログを記憶装置（チャンネルメニューログ保持部）などに保持するため記録する（ステップ１００１）。その後、生成されたチャンネルメニューについて、例えばユーザから復元の操作指示などを受け付けると、チャンネルメニューログ保持部に保持されているチャンネルメニューログから選択したチャンネルメニューを該当するチャンネルメニュー生成情報を利用して生成する（ステップＳ１００２）。
【０１０５】
＜効果の簡単な説明＞
【０１０６】
以上のように、本実施例のチャンネル制御システムによって、チャンネルサーバ装置によって制御されたチャンネルメニューが気に入らなかった場合など、コンテンツ視聴装置のユーザ側で以前のチャンネルメニューに簡単な操作で復元することができる。
【符号の説明】
【０１０７】
０２００  コンテンツ視聴装置
０２０１  チャンネルメニュー生成部
０２０２  選択受付部
０２０３  アクセスログ取得部
０２０４  アクセスログ送信部
０２０５  チャンネルメニュー生成情報受信部
０２１０  チャンネルサーバ装置
０２１１  アクセスログ受信部
０２１２  チャンネルメニュー生成情報算出部
０２１３  チャンネルメニュー生成情報送信部
【図１】
2012164670.tif 000003
【図２】
2012164670.tif 000004
【図３】
2012164670.tif 000005
【図４】
2012164670.tif 000006
【図５】
2012164670.tif 000007
【図６】
2012164670.tif 000008
【図７】
2012164670.tif 000009
【図８】
2012164670.tif 000010
【図９】
2012164670.tif 000011
【図１０】
2012164670.tif 000012
【国際調査報告】
2012164670.tif 000013
2012164670.tif 000014